(57)【要約】【課題】本発明は、動画編集装置、動画編集方法、動画編集のプログラム及び動画編集のプログラムを記録した記録媒体に関し、例えばサーバーに動画ファイルをアップロードする場合に適用して、編集処理に不慣れなユーザーでも簡易に操作できるようにする。【解決手段】本発明は、スライドバーＢ５のスライド操作と、時間を単位にしたイン点及びアウト点間の長さの入力（Ｂ７１、Ｂ７２）とにより、編集点の設定を受け付ける。【選択図】　　　　図３
2004104468.tif 000002
【特許請求の範囲】
【請求項１】
ユーザーの操作に応動して動画ファイルにイン点、アウト点を設定する動画編集装置において、
スライドバー全体に対するつまみの両端の位置により、前記動画ファイルにおける前記イン点、アウト点の位置を表して、前記動画ファイルにおける前記イン点及びアウト点の位置を表示する表示手段と、
前記つまみのスライド操作により、前記イン点及びアウト点で連動した位置の変更を受け付ける第１の入力手段と、
時間を単位にして、前記イン点及びアウト点間の長さの入力を受け付ける第２の入力手段と
を備えることを特徴とする動画編集装置。
【請求項２】
再生の指示により、前記イン点及びアウト点間を再生する再生手段を有し、
前記表示手段は、
前記再生手段による動画像を表示すると共に、前記つまみの上に前記再生手段による再生位置を示すマークを表示する
ことを特徴とする請求項１に記載の動画編集装置。
【請求項３】
前記再生手段は、
再生停止の指示により、前記イン点及びアウト点間の再生を停止し、
前記表示手段は、
少なくとも前記再生手段により再生を再開するまでの間、再生を停止した位置に前記マークを保持して表示することにより、該マークの表示を、前記つまみのスライド操作の基準に設定する
ことを特徴とする請求項２に記載の動画編集装置。
【請求項４】
ユーザーの操作により前記動画ファイルから前記イン点及びアウト点間を切り出して所定のサーバーにアップロードする
ことを特徴とする請求項１に記載の動画編集装置。
【請求項５】
ユーザーの操作に応動して動画ファイルにイン点、アウト点を設定する動画編集方法において、
スライドバー全体に対するつまみの両端の位置により、前記動画ファイルにおける前記イン点、アウト点の位置を表して、前記動画ファイルにおける前記イン点及びアウト点の位置を表示する表示ステップと、
前記つまみのスライド操作により、前記イン点及びアウト点で連動した位置の変更を受け付ける第１の入力ステップと、
時間を単位にして、前記イン点及びアウト点間の長さの入力を受け付ける第２の入力ステップと
を備えることを特徴とする動画編集方法。
【請求項６】
前記表示ステップは、
前記イン点及びアウト点間を再生して得られる動画像を表示すると共に、前記つまみの上に前記動画像の再生位置を示すマークを表示する
ことを特徴とする請求項５に記載の動画編集方法。
【請求項７】
前記表示ステップは、
前記イン点及びアウト点間の再生を一時中止した後、再生を再開するまでの間、再生を停止した位置に前記マークを保持して表示することにより、該マークの表示を、前記つまみのスライド操作の基準に設定する
ことを特徴とする請求項６に記載の動画編集方法。
【請求項８】
コンピュータに所定の処理手順を実行させることにより、ユーザーの操作に応動して動画ファイルにイン点、アウト点を設定する動画編集のプログラムにおいて、
前記処理手順が、
スライドバー全体に対するつまみの両端の位置により、前記動画ファイルにおける前記イン点、アウト点の位置を表して、前記動画ファイルにおける前記イン点及びアウト点の位置を表示する表示ステップと、
前記つまみのスライド操作により、前記イン点及びアウト点で連動した位置の変更を受け付ける第１の入力ステップと、
時間を単位にして、前記イン点及びアウト点間の長さの入力を受け付ける第２の入力ステップとを有する
ことを特徴とする動画編集のプログラム。
【請求項９】
動画編集のプログラムを記録した記録媒体において、
前記動画編集のプログラムは、
コンピュータに所定の処理手順を実行させることにより、ユーザーの操作に応動して動画ファイルにイン点、アウト点を設定するプログラムであって、
前記処理手順が、
スライドバー全体に対するつまみの両端の位置により、前記動画ファイルにおける前記イン点、アウト点の位置を表して、前記動画ファイルにおける前記イン点及びアウト点の位置を表示する表示ステップと、
前記つまみのスライド操作により、前記イン点及びアウト点で連動した位置の変更を受け付ける第１の入力ステップと、
時間を単位にして、前記イン点及びアウト点間の長さの入力を受け付ける第２の入力ステップとを有する
ことを特徴とする動画編集のプログラムを記録した記録媒体。
【発明の詳細な説明】
【０００１】
【発明の属する技術分野】
本発明は、動画編集装置、動画編集方法、動画編集のプログラム及び動画編集のプログラムを記録した記録媒体に関し、例えばサーバーに動画ファイルをアップロードする場合に適用することができる。本発明は、スライドバーのスライド操作と、時間を基準にしたイン点及びアウト点間の長さの入力により、編集点の設定を受け付けることにより、編集処理に不慣れなユーザーでも簡易に操作することができるようにする。
【０００２】
【従来の技術】
従来、特開２００１−１５４８３４号公報に開示のように、インターネットの利用を考慮してコンピュータにより種々の動画ファイルを編集する方法が提案されるようになされている。このような従来方式による動画ファイルの編集においては、ビデオテープレコーダを用いた編集処理に由来するインターフェースにより、イン点、アウト点等をそれぞれ設定するようになされている。
【０００３】
すなわち図１６は、この種のコンピュータにおける動画ファイル編集用のＧＵＩ（Ｇｒａｐｈｉｃａｌ　Ｕｓｅｒ　Ｉｎｔｅｒｆａｃｅ）の例を示す平面図である。この種のＧＵＩにおいては、ウインドウの正面に、サムネイル画像の表示領域ＡＲ１が配置され、この表示領域ＡＲ１に再生中の画像が表示される。またこの領域ＡＲ１の下に、全体の長さにより動画ファイルの長さを示すコンテンツバーＡ２が表示され、このコンテンツバーＡ２にイン点、アウト点を示すマーカーＡ３、Ａ４、現在の再生位置を示すマーカーＡ５が配置される。
【０００４】
また音量の操作ボタンＡ６、再生、一時停止、早送り、巻き戻し等のボタンＡ７が設けられ、さらにはイン点、アウト点のタイムコードが表示部Ａ８に表示されるようになされている。これによりこの種のＧＵＩにおいては、動画ファイルを再生して所望の箇所でイン点、アウト点をそれぞれ設定し、さらにこれらイン点、アウト点間でプレビューの処理を実行して必要に応じてイン点、アウト点を設定し直すようになされている。
【０００５】
【特許文献１】
特開２００１−１５４８３４号公報
【０００６】
【発明が解決しようとする課題】
ところでこのようなビデオテープレコーダを用いた編集処理に由来するＧＵＩにおいては、この種の動画像編集に慣れているユーザーにとっては、使い易い反面、使い慣れていないユーザーにとっては、操作が難い問題がある。
【０００７】
すなわちこのようなＧＵＩにおいては、イン点、アウト点を示すマーカーＡ３、Ａ４によっては、イン点、アウト点による編集後のファイルの長さを把握し得ず、結局、タイムコードにより編集後のファイルの長さを確認することになる。しかしながらタイムコードにおいては、日常生活では実感できない秒以下の単位までも取り扱うことにより、ユーザーにとって現実味に欠け、これによりこの種のＧＵＩにおいては操作が難いものとなっていた。
【０００８】
また操作ボタンの数も多く、これによっても操作が難いものとなっていた。
【０００９】
本発明は以上の点を考慮してなされたもので、編集処理に不慣れなユーザーでも簡易に操作することができる動画編集装置、動画編集方法、動画編集のプログラム及び動画編集のプログラムを記録した記録媒体を提案しようとするものである。
【００１０】
【課題を解決するための手段】
かかる課題を解決するため請求項１の発明においては、ユーザーの操作に応動して動画ファイルにイン点、アウト点を設定する動画編集装置に適用して、スライドバー全体に対するつまみの両端の位置により、動画ファイルにおけるイン点、アウト点の位置を表して、動画ファイルにおけるイン点及びアウト点の位置を表示する表示手段と、つまみのスライド操作により、イン点及びアウト点で連動した位置の変更を受け付ける第１の入力手段と、時間を基準にして、イン点及びアウト点間の長さの入力を受け付ける第２の入力手段とを備えるようにする。
【００１１】
また請求項５の発明においては、ユーザーの操作に応動して動画ファイルにイン点、アウト点を設定する動画編集方法に適用して、スライドバー全体に対するつまみの両端の位置により、動画ファイルにおけるイン点、アウト点の位置を表して、動画ファイルにおけるイン点及びアウト点の位置を表示する表示ステップと、つまみのスライド操作により、イン点及びアウト点で連動した位置の変更を受け付ける第１の入力ステップと、時間を単位にして、イン点及びアウト点間の長さの入力を受け付ける第２の入力ステップとを備えるようにする。
【００１２】
また請求項８の発明においては、コンピュータに所定の処理手順を実行させることにより、ユーザーの操作に応動して動画ファイルにイン点、アウト点を設定する動画編集のプログラムに適用して、処理手順が、スライドバー全体に対するつまみの両端の位置により、動画ファイルにおけるイン点、アウト点の位置を表して、動画ファイルにおけるイン点及びアウト点の位置を表示する表示ステップと、つまみのスライド操作により、イン点及びアウト点で連動した位置の変更を受け付ける第１の入力ステップと、時間を単位にして、イン点及びアウト点間の長さの入力を受け付ける第２の入力ステップとを有するようにする。
【００１３】
また請求項９の発明においては、動画編集のプログラムを記録した記録媒体に適用して、動画編集のプログラムは、コンピュータに所定の処理手順を実行させることにより、ユーザーの操作に応動して動画ファイルにイン点、アウト点を設定するプログラムであって、処理手順が、スライドバー全体に対するつまみの両端の位置により、動画ファイルにおけるイン点、アウト点の位置を表して、動画ファイルにおけるイン点及びアウト点の位置を表示する表示ステップと、つまみのスライド操作により、イン点及びアウト点で連動した位置の変更を受け付ける第１の入力ステップと、時間を単位にして、イン点及びアウト点間の長さの入力を受け付ける第２の入力ステップとを有するようにする。
【００１４】
請求項１の構成によれば、ユーザーの操作に応動して動画ファイルにイン点、アウト点を設定する動画編集装置に適用して、スライドバー全体に対するつまみの両端の位置により、動画ファイルにおけるイン点、アウト点の位置を表して、動画ファイルにおけるイン点及びアウト点の位置を表示する表示手段と、つまみのスライド操作により、イン点及びアウト点で連動した位置の変更を受け付ける第１の入力手段と、時間を単位にして、イン点及びアウト点間の長さの入力を受け付ける第２の入力手段とを備えることにより、ユーザーにおいては、第２の入力手段により編集されたファイルの長さを時間により確認してイン点、アウト点を設定することができる。また第１の入力手段により、例えばマウス等のポインティングディバイスによりつまみを掴んでスライドさせるだけで、編集の箇所を種々に変更することができる。これにより従来に比して簡易な操作により、直観的に操作することができ、これにより編集処理に不慣れなユーザーでも簡易に操作することができる動画編集装置を提供することができる。
【００１５】
これにより請求項５、請求項８、請求項９の構成によれば、編集処理に不慣れなユーザーでも簡易に操作することができる動画編集方法、動画編集のプログラム、動画編集のプログラムを記録した記録媒体を提供することができる。
【００１６】
【発明の実施の形態】
以下、適宜図面を参照しながら本発明の実施の形態を詳述する。
【００１７】
（１）実施の形態の構成
図１は、本発明の第１の実施の形態に係るファイル転送システムを示すブロック図である。このファイル転送システム１においては、携帯電話３を特定してコンピュータ２よりサーバー４に動画ファイルをアップロードする。サーバー４においては、このアップロードに係る動画ファイルを保持し、この動画ファイルのＵＲＬ（Ｕｎｉｆｏｒｍ　Ｒｅｓｏｕｒｃｅ　Ｌｏｃａｔｏｒ）を電子メールにより携帯電話３に通知する。さらにサーバー４は、このＵＲＬによる携帯電話３のアクセスにより動画ファイルを携帯電話３に提供する。これによりこのファイル転送システム１では、インターネット上のサーバー４を介して、所望する動画ファイルを携帯電話３に転送し、この動画ファイルを携帯電話３のブラウザにより閲覧できるようになされている。
【００１８】
ここでコンピュータ２は、一般的なパーソナルコンピュータであり、ＲＯＭ（Ｒａｄ　Ｏｎｌｙ　Ｍｅｍｏｒｙ）１１に記録された設定に従って、ＲＡＭ（Ｒａｎｄｏｍ　Ａｃｃｅｓｓ　Ｍｅｍｏｒｙ）１２にワークエリアを確保して中央処理ユニット（ＣＰＵ）１３によりハードディスク装置（ＨＤＤ）１４に記録された各種アプリケーションプログラム等を実行するようになされている。コンピュータ２は、これらの処理においてバス１５により接続されたグラフックインターフェース（グラフックＩ／Ｆ）１６により液晶表示パネル等によるディスプレイ１７を駆動して各種ＧＵＩ等による表示画面を形成する。また入出力インターフェース（入出力Ｉ／Ｆ）１８を介してキーボード１９、マウス２０等によるポインティングディバイスの操作を受け付ける。またネットワークインターフェース（ネットワークＩ／Ｆ）２１によりインターネットに接続してサーバー４との間で種々のデータを送受する。
【００１９】
コンピュータ２においては、ハードディスク装置１４にこのファイル転送システム１の処理に係るアプリケーションプログラム（以下、ファイル転送プログラムと呼ぶ）が記録されて保持されるようになされている。なおこのファイル転送プログラムにおいては、事前のインストールにより、又はインターネット等のネットワーク等を介したダウンロードにより、さらには各種記録媒体により提供されるプログラムのインストールにより、ハードディスク装置１４に記録されて保持される。因みにこのような記録媒体としては、光ディスク、磁気ディスク、磁気テープ等の記録媒体を適用することができる。
【００２０】
図２は、このファイル転送プログラムのメイン画面を示す平面図である。中央処理ユニット１３は、ユーザーの指示によりこのファイル転送プログラムが立ち上げられると、この図２に示すメイン画面を表示する。ここでこのメイン画面においては、最上段にツールバー等が配置され、左側の領域ＡＲ２にこのコンピュータ２のディレクトリ構造が表示され、中央処理ユニット１３は、このディレクトリ構造の表示において、ユーザーによるマウス２０等の操作により、フォルダーの選択を受け付けるようになされている。
【００２１】
またメイン画面は、残りの領域が上下に分割され、この上側の領域ＡＲ３に、ユーザーにより選択されたフォルダーより転送対象となるファイルが検索されて、ファイル名を付したサムネイル画像により表示されるようになされている。このため中央処理ユニット１３は、ユーザーによりフォルダーが選択されると、ファイルの拡張子よりこのフォルダーに保持されてなる動画、静止画によるファイルを検索する。さらにこのようにして検索したファイルについて、静止画ファイルについてはサムネイル画像を領域ＡＲ３に表示し、動画ファイルについては先頭箇所のサムネイル画像を領域ＡＲ３に表示する。また中央処理ユニット１３は、ユーザーによるマウス２０等の操作により、このようにして表示したサムネイル画像の選択を受け付け、これにより携帯電話３に転送するファイルの選択を受け付ける。
【００２２】
また残りの下側領域ＡＲ４には、編集用画面をシンボル化した表示Ｉ１が左端に表示され、ユーザーにより選択されたファイルのサムネイル画像がこの表示Ｉ１の中央、上側に表示されるようになされている。中央処理ユニット１３は、この表示Ｉ１のクリアのボタンＢ１がユーザーにより操作されると、ユーザーによるファイルの選択をクリアし、この表示Ｉ１におけるサムネイル画像の表示を中止する。これに対して編集のボタンＢ２が選択されると、この選択されたファイルに応じて静止画ファイルの編集画面、動画ファイルの編集画面を表示する。
【００２３】
またこの表示Ｉ１の右側には、編集画面の操作により編集されてなる転送対象のファイルがサムネイル画像Ｓ１により表示される。また続いて矢印の表示が形成され、最も右側に、携帯電話の表示画面側の表示Ｉ２が表示される。中央処理ユニット１３は、この携帯電話の表示Ｉ２において、送信のボタンＢ３が操作されると、送信用画面を表示し、この送信用画面において転送先である携帯電話３のメールアドレス、メッセージ等の入力を受け付け、ユーザーの操作に応動してサムネイル画像Ｓ１による転送対象のファイルをサーバー４にアップロードする。
【００２４】
これらによりこの実施の形態においては、ユーザーにより選択されたファイルが動画ファイルの場合、ボタンＢ２の操作により編集画面を表示してこの動画ファイルの編集を受け付け、その編集結果の動画ファイルをボタンＢ３に係る一連の処理により、サーバー４にアップロードするようになされ、コンピュータ２においては、これにより動画ファイルの編集装置を構成するようになされている。
【００２５】
図３は、この編集画面の初期画面を示す平面図である。中央処理ユニット１３は、ユーザーにより選択されたファイルが動画ファイルの場合、この編集画面を表示する。ここでこの編集画面は、ユーザーにより選択された動画ファイル（以下、編集対象ファイルと呼ぶ）より、伝送に供する箇所（以下、伝送部分と呼ぶ）の設定を受け付ける画面である。
【００２６】
この編集画面においては、左側にプレビュー等の画像表示領域ＡＲ５が設けられ、右側上部に、操作を指示するコメントが表示される。またこのコメントの下にスライドバーＢ５が表示され、スライドバーＢ５の下に、伝送部分の長さを秒により表すスピンボックスＢ７、再生、停止のボタンＢ６が設けられる。また最下段に、ＯＫのボタンＢ８、キャンセルのボタンＢ９が設けられる。スライドバーＢ５には、つまみＢＢ５に、再生箇所を示すポインタＰ、停止線Ｌ１が表示される。
【００２７】
ここでスライドバーＢ５は、全体の長さに対するつまみＢＢ５の長さが、再生時間による編集対象ファイルの長さに対する伝送部分の長さになるように、またつまみＢＢ５の左端及び右端がそれぞれ伝送対象ファイルにおける伝送部分の開始点及び終点になるように、すなわち伝送対象ファイルより伝送部分を切り出す際のイン点及びアウト点となるように、設定される。またつまみＢＢ５をポインティングディバイスにより掴んでスライド操作することにより、このつまみＢＢ５の左端及び右端の位置に対応するように、イン点及びアウト点が変化するように、中央処理ユニット１３により制御される。
【００２８】
またユーザーによるボタンＢ６の操作によるプレビューの処理により、再生箇所を示すポインタＰ、停止線Ｌ１がつまみＢＢ５を左端から右端に移動するように表示され、初期画面においては、このポインタＰ、停止線Ｌ１がつまみＢＢ５の左端に配置されるようになされている。
【００２９】
これに対してスピンボックスＢ７は、このつまみＢＢ５に対応する伝送部分の長さを秒により表示し、この表示を秒単位で増大及び減少されるボタンＢ７１、Ｂ７２が設けられる。このファイル転送システム１では、最大で１５秒分の動画ファイルをアップロードできるようにサーバー４等が設定され、これに対応してスピンボックスＢ７は、初期状態において、編集対象ファイルの再生時間が十分に長い場合、１５秒の時間が表示されるようになされ、これに対して編集対象ファイルの再生時間が１５秒に満たない場合、転送可能な最大再生時間が秒により表現されて表示されるようになされている。なおこの表示を増大及び減少されるボタンＢ７１、Ｂ７２は、この秒の表示に対応して、適宜、非表示とされる。
【００３０】
中央処理ユニット１３は、図４に示す処理手順の実行により、この初期画面の表示を設定する。すなわち中央処理ユニット１３は、メイン画面においてユーザーにより編集対象ファイルが選択されて編集のボタンＢ２が操作されると、この処理手順を開始し、ステップＳＰ１からステップＳＰ２に移る。中央処理ユニット１３は、このステップＳＰ２において、トリミング開始時間Ｔｓ及びトリミング終了時間Ｔｅをそれぞれ値０に設定して初期化する。ここでトリミング開始時間Ｔｓ及びトリミング終了時間Ｔｅは、イン点及びアウト点にそれぞれ対応する位置情報であり、伝送部分の開始位置及び終了位置を対応する編集対象ファイルにおける再生時間、秒を単位で表した値である。
【００３１】
続いて中央処理ユニット１３は、ステップＳＰ３に移り、ここで再生時間で表される編集対象ファイルのデータ長が１５秒より長いか否か判断する。ここでこのファイル転送システム１により転送可能なファイル長に対して、編集対象ファイルの再生時間によるファイル長が長い場合、このステップＳＰ３で肯定結果が得られることにより、中央処理ユニット１３は、ステップＳＰ３からステップＳＰ４に移り、トリミング終了時間Ｔｅを１５に設定する。
【００３２】
続いて中央処理ユニット１３は、ステップＳＰ５に移り、トリミング開始時間Ｔｓをトリミング終了時間Ｔｅから減算し、パラメータＴｃｕｒを初期設定する。ここでパラメータＴｃｕｒは、伝送部分の長さを示すパラメータであり、これによりこの初期設定においては、伝送部分の長さに対応するつまみＢＢ５の長さを初期設定するようになされている。またつまみＢＢ５の設定可能な左端に対する右端の最大値を示すパラメータＴｍａｘをトリミング終了時間Ｔｅの値に設定する。
【００３３】
続いて中央処理ユニット１３は、ステップＳＰ６に移り、伝送部分の長さを示すパラメータＴｃｕｒが、値３より大きいか否か判断し、ここで肯定結果が得られると、ステップＳＰ６からステップＳＰ７に移り、スピンボックスＢ７の秒表示を減少させるボタンＢ７２を使用可能に設定する。また続いてステップＳＰ８に移り、パラメータＴｃｕｒがつまみＢＢ５の最大値を示すパラメータＴｍａｘより小さいか否か判断する。ここでこの場合、ステップＳＰ５において、つまみＢＢ５の最大値を示すパラメータＴｍａｘをトリミング終了時間Ｔｅの値に設定していることにより、中央処理ユニット１３は、否定結果が得られ、ステップＳＰ８からステップＳＰ９に移り、スピンボックスＢ７の秒表示を増大させるボタンＢ７１を使用不可に設定する。
【００３４】
続いて中央処理ユニット１３は、ステップＳＰ１０に移り、パラメータＴｃｕｒの値によりスピンボックスＢ７に表示する秒の値を設定する。またこの秒の値に対応して、スライドバーＢ５の全体長を編集対象ファイルの長さ（再生時間による）に設定するとして、つまみＢＢ５がパラメータＴｃｕｒの値となるようにつまみＢＢ５の長さを、またパラメータＴｓ、ＴｅがそれぞれつまみＢＢ５の左端及び右端となるように、つまみＢＢ５の表示装置を計算する。さらにこれらにより編集画面を表示し、ステップＳＰ１１に移ってこの処理手順を終了する。
【００３５】
これにより中央処理ユニット１３は、このファイル転送システム１により転送可能なファイル長である１５秒より編集対象ファイルの再生時間が長い場合、図３に示すように、つまみＢＢ５の長さを１５秒分の長さに設定してつまみＢＢ５を左寄せする。またスピンボックスＢ７の表示を１５秒に設定し、秒を減少させるボタンＢ７２のみ表示してなる初期画面により編集画面を表示するようになされている。
【００３６】
これに対して再生時間による編集対象ファイルのデータ長が１５秒より短い場合、中央処理ユニット１３は、ステップＳＰ３で否定結果が得られることにより、ステップＳＰ３からステップＳＰ１３に移り、ここで再生時間による編集対象ファイルのデータ長が３秒より大きいか否か判断する。ここでこの３秒は、この編集画面による処理により編集可能としたデータ長の最少の長さである。
【００３７】
このステップＳＰ１３で肯定結果が得られると、中央処理ユニット１３は、ステップＳＰ１３からステップＳＰ１４に移り、再生時間により表される編集対象ファイルのデータ長について、秒未満の単位を切り捨て、トリミング終了時間Ｔｅに設定する。これにより中央処理ユニット１３は、例えば編集対象ファイルの長さが１２．１２秒の場合、トリミング終了時間Ｔｅを１２秒に設定する。このようにしてトリミング終了時間Ｔｅを設定すると、中央処理ユニット１３は、ステップＳＰ５に移り、上述したと同様にしてパラメータＴｃｕｒ、つまみＢＢ５の最大値を示すパラメータＴｍａｘを初期設定する。さらに続いてステップＳＰ６に移り、パラメータＴｃｕｒが、値３より大きいか否か判断し、この場合、肯定結果が得られることにより、ステップＳＰ６からステップＳＰ７に移り、スピンボックスＢ７の秒表示を減少させるボタンＢ７２を使用可能に設定する。
【００３８】
また続くステップＳＰ８において、パラメータＴｃｕｒがつまみＢＢ５の最大値を示すパラメータＴｍａｘより小さいか否か判断し、この場合、ステップＳＰ１４において、再生時間により表される編集対象ファイルのデータ長の秒に満たない単位を切り捨てトリミング終了時間Ｔｅを設定していることにより、中央処理ユニット１３は、ステップＳＰ８において、肯定結果が得られ、ステップＳＰ８からステップＳＰ９に移り、スピンボックスＢ７の秒表示を増大させるボタンＢ７１を使用不可に設定した後、ステップＳＰ１０、ステップＳＰ１１を順次実行してこの処理手順を終了する。
【００３９】
これにより編集対象ファイルの長さが３秒以上、１５秒未満の場合、中央処理ユニット１３は、図５に示すように、つまみＢＢ５を左寄せし、つまみＢＢ５の長さをほほスライドバーＢ５全体の長さに設定する。またスピンボックスＢ７の表示をこのつまみＢＢ５の長さに対応する値に設定し、秒を減少させるボタンＢ７２のみ表示してなる初期画面により編集画面を表示するようになされている。
【００４０】
これに対して再生時間により表して編集対象ファイルのデータ長が３秒以下の場合、中央処理ユニット１３は、ステップＳＰ１３で否定結果が得られることにより、ステップＳＰ１３からステップＳＰ１６に移る。ここで中央処理ユニット１３は、再生時間により表して編集対象ファイルのデータ長をトリミング終了時間Ｔｅにそのまま設定する。
【００４１】
また続いてステップＳＰ１７に移り、パラメータＴｃｕｒ、つまみＢＢ５の最大値を示すパラメータＴｍａｘにそれぞれ値−１を設定し、ステップＳＰ６に移る。
【００４２】
このステップＳＰ６において、この場合、中央処理ユニット１３は、否定結果が得られることにより、ステップＳＰ６からステップＳＰ１８に移り、スピンボックスＢ７の秒表示を減少させるボタンＢ７２を使用不可に設定する。また続いてステップＳＰ８に移り、この場合、否定結果が得られることにより、ステップＳＰ８からステップＳＰ９に移り、スピンボックスＢ７の秒表示を増大させるボタンＢ７１を使用不可に設定した後、ステップＳＰ１０、ステップＳＰ１１の処理手順を順次実行してこの処理手順を終了する。
【００４３】
これによりこの実施の形態では、再生時間により表して編集対象ファイルのデータ長が３秒以下の場合、図６に示すように、つまみＢＢ５の長さをスライドバーＢ５全体の長さに設定してつまみＢＢ５をスライド困難に表示し、またスピンボックスＢ７の秒表示を増大、減少させるボタンＢ７１、Ｂ７２を表示することなく初期画面を表示し、これらにより単にプレビューのみ可能に、編集画面を表示するようになされている。
【００４４】
なお中央処理ユニット１３は、後述するユーザーの操作に対応した編集画面の変更に係る処理を実行するプログラムと一部共通するプログラムを用いてこの初期画面に係る処理を実行することにより、ステップＳＰ８で肯定結果が得られると、ステップＳＰ８からステップＳＰ１９に移り、スピンボックスＢ７の秒表示を増大させるボタンＢ７１を使用可能とするようになされている。しかしながらこの初期画面の処理においては、上述したように、スピンボックスＢ７の秒表示を増大させるボタンＢ７１は、常に使用不可に設定されるようになされている。
【００４５】
中央処理ユニット１３は、これらの初期画面に係る処理により表示画面を表示する際に、編集対象ファイルの先頭画面を表示領域ＡＲ５に表示し、これによりつまみＢＢ５の左端、メイン画面におけるサムネイル画像との整合性を図るようになされている。
【００４６】
これに対して図７に示すように、このように編集画面を表示して、つまみＢＢ５がマウス２０等により掴まれて左右にスライド操作されると、中央処理ユニット１３は、このスライドの操作に応動して、矢印により示すように、つまみＢＢ５全体の表示を左右にスライドさせる。またこのつまみＢＢ５のスライドに対応して、つまみＢＢ５の左端及び右端の位置による編集対象ファイルにおける再生時間をそれぞれトリミング開始時間Ｔｓ及びトリミング終了時間Ｔｅに設定する。
【００４７】
これにより中央処理ユニット１３は、つまみＢＢ５を左右にスライドさせて、伝送部分の長さを維持した状態で、伝送部分を種々に変更するようになされている。
【００４８】
これに対して図８に示すように、中央処理ユニット１３は、秒の表示を増大及び減少させるボタンＢ７１、Ｂ７２がユーザーにより操作されると、この操作に応動して秒の表示を増大させ、又は減少させる。さらにこの秒の表示の変化に対応するように、矢印により示すように、つまみの右端（アウト点側である）を左右に変位させる。またこの右端の変位に対応するように、つまみＢＢ５の右端の位置による編集対象ファイルにおける再生時間をトリミング終了時間Ｔｅに設定する。
【００４９】
これにより中央処理ユニット１３は、伝送部分の長さを秒による時間を単位に種々に変更できるようになされている。
【００５０】
図９は、このボタンＢ７１、Ｂ７２の操作に係る中央処理ユニット１３の処理手順を示すフローチャートである。中央処理ユニット１３は、ボタンＢ７１又はＢ７２の操作をトリガにしてこの処理手順を開始し、ステップＳＰ２１からステップＳＰ２２に移る。このステップＳＰ２２において、中央処理ユニット１３は、秒の表示を減少させるボタンＢ７２が操作されたか否か判断し、ここで肯定結果が得られると、ステップＳＰ２３に移る。ここで中央処理ユニット１３は、現在、このボタンＢ７２が使用可能に設定されているか否か判断し、ここで否定結果が得られると、ステップＳＰ２３からステップＳＰ２４に移り、処理を終了するか否か判断する。ここで否定結果が得られると、中央処理ユニット１３は、ステップＳＰ２２に戻るのに対し、肯定結果が得られると、ステップＳＰ２５に移ってこの処理手順を終了する。
【００５１】
これにより中央処理ユニット１３は、例えば初期設定の処理手順（図４）について上述したようにしてボタンＢ７２が使用不可に設定されている場合、ユーザーによるボタンＢ７２の操作を無視するようになされている。
【００５２】
これに対してステップＳＰ２３で肯定結果が得られると、中央処理ユニット１３は、ステップＳＰ２６に移り、伝送部分の長さを示すパラメータＴｃｕｒを値１だけ減算する。続いて中央処理ユニット１３は、ステップＳＰ２７に移り、パラメータＴｃｕｒにより指示される再生時間が３秒より長いか否か判断する。ここで肯定結果が得られると、中央処理ユニット１３は、ステップＳＰ２８に移り、秒の表示を減少させるボタンＢ７２を使用可能に設定した後、ステップＳＰ２９に移る。これに対してステップＳＰ２７で否定結果が得られると、ステップＳＰ２７からステップＳＰ３０に移り、秒の表示を減少させるボタンＢ７２を使用不可に設定した後、ステップＳＰ２９に移る。
【００５３】
これにより中央処理ユニット１３は、秒の表示を減少させるボタンＢ７２が操作される毎に、伝送部分の長さを示すパラメータＴｃｕｒを順次減算し、伝送部分の長さが３秒となると、それ以上伝送部分の長さを短くすることができないように、ボタンＢ７２を操作困難に設定するようになされている。
【００５４】
かくして中央処理ユニット１３は、ステップＳＰ２９において、伝送部分の長さを示すパラメータＴｃｕｒとパラメータＴｍａｘと比較し、未だ伝送部分を長く設定できるか否か判断する。ここで肯定結果が得られると、ステップＳＰ２９からステップＳＰ３１に移り、秒の表示を増大させるボタンＢ７１を使用可能に設定してステップＳＰ３２に移る。これに対してステップＳＰ２９で否定結果が得られると、ステップＳＰ３３に移り、秒の表示を増大させるボタンＢ７１を使用不可に設定してステップＳＰ３２に移る。
【００５５】
これらにより中央処理ユニット１３は、３秒から１５秒の範囲で、ボタンＢ７１、Ｂ７２の操作により伝送部分の長さを種々に設定できるようになされている。
【００５６】
すなわち中央処理ユニット１３は、この続くステップＳＰ３２において、伝送部分の長さを示すパラメータＴｃｕｒ、トリミング開始時間Ｔｓにより、トリミング終了時間Ｔｅを計算し、つまみＢＢ５の左端、右端がそれぞれトリミング開始時間Ｔｓ、トリミング終了時間Ｔｅに対応する位置となるように、つまみの表示を切り換え、ステップＳＰ２４に移る。
【００５７】
これに対してステップＳＰ２２で否定結果が得られると、中央処理ユニット１３は、ステップＳＰ２２からステップＳＰ３４に移る。ここで中央処理ユニット１３は、秒の表示を増大させるボタンＢ７１が操作されたか否か判断し、ここで肯定結果が得られると、ステップＳＰ３４からステップＳＰ３５に移り、秒の表示を増大させるボタンＢ７１が操作可能に設定されているか否か判断する。ここで肯定結果が得られると、中央処理ユニット１３は、ステップＳＰ３５からステップＳＰ３６に移り、伝送部分の長さを示すパラメータＴｃｕｒを値１だけ増大させた後、ステップＳＰ２７に移る。
【００５８】
これに対してステップＳＰ３４、ステップＳＰ３５で否定結果が得られると、中央処理ユニット１３は、直接、ステップＳＰ２４に移る。
【００５９】
これに対して編集画面において、ユーザーにより再生、一時停止のボタンＢ６が操作されると、中央処理ユニット１３は、図３との対比により図１０に示すように、ボタンＢ６における表示を一時停止の表示に切り換える。またつまみＢＢ５に対応する箇所を再生し、この画像を領域ＡＲ５に表示する。またこのとき再生箇所をポインタＰ、停止線Ｌ１により示すように、矢印により示すように、再生の処理に連動してポインタＰ、停止線Ｌ１を順次移動させる。またこのように再生して、ユーザーによりボタンＢ６が操作されると、再生の処理を一時中止し、ボタンＢ６の表示を切り換える。また一時停止した箇所にポインタＰ、停止線Ｌ１を保持し、また再生を停止した箇所の画像を領域ＡＲ５に表示し続ける。
【００６０】
図１１は、このボタンＢ６の操作に係る中央処理ユニット１３の処理手順を示すフローチャートである。中央処理ユニット１３は、ユーザーによるボタンＢ６の操作をトリガにしてこの処理手順を開始する。この処理手順において中央処理ユニット１３は、ステップＳＰ４１からステップＳＰ４２に移る。このステップＳＰ４２において、中央処理ユニット１３は、それまでの表示よりユーザーによるボタンＢ６の操作がプレビューである再生の指示か否か判断し、ここで肯定結果が得られると、ステップＳＰ４３に移り、ポインタＰ、停止線Ｌ１が表示されている現在の再生位置より編集対象ファイルの再生を開始する。続いて中央処理ユニット１３は、ステップＳＰ４４に移り、タイマルーチンを開始する。ここでタイマルーチンは、処理の開始により０．０１秒毎に繰り返される処理手順であり、詳細は後述する。
【００６１】
中央処理ユニット１３は、続いてステップＳＰ４５に移り、停止点表示フラグをオフに設定する。ここで停止点表示フラグは、一時停止時、残像の形式で停止線Ｌ１、ポインタＰの表示を指示するフラグである。なお、この実施の形態において、この残像の形式による表示においては、それまでの表示に比して、彩度を低下させて停止線Ｌ１、ポインタＰを表示することにより、あたかも残像による表示のように、停止線Ｌ１、ポインタＰを表示する。中央処理ユニット１３は、続いてステップＳＰ４６に移り、表示ルーチンをコールする。ここで表示ルーチンは、各種ボタンＢ６等、Ｂ７１、Ｂ７２の操作により起動される処理ルーチンである。中央処理ユニット１３は、続いてステップＳＰ４７に移り、この処理手順の終了を判断し、ここで否定結果が得られると、ステップＳＰ４２に戻るのに対し、肯定結果が得られると、ステップＳＰ４７からステップＳＰ４８に移ってこの処理手順を終了する。
【００６２】
これに対して再生中の状態でユーザーによりボタンＢ６が操作された場合、中央処理ユニット１３は、ステップＳＰ４２で否定結果が得られることにより、ステップＳＰ４２からステップＳＰ４９に移る。ここで中央処理ユニット１３は、それまでの表示よりユーザーによるボタンＢ６の操作が一時停止の指示か否か判断し、ここで肯定結果が得られると、ステップＳＰ５０に移り、タイマルーチンの停止を指示した後、ステップＳＰ５１に移り、動画再生時間Ｔｃにより指示される再生位置を一時停止の位置を示すパラメータＴｓｔｏｐに設定し、再生の処理を停止する。
【００６３】
また続いてステップＳＰ５２に移り、停止点表示フラグをオンに設定した後、ステップＳＰ４６に移る。これに対してステップＳＰ４９で否定結果が得られると、この場合ステップＳＰ４６に直接移る。
【００６４】
これにより中央処理ユニット１３は、再生、停止のボタンＢ６の操作に応動して再生処理を開始し、また再生処理を停止するようになされ、再生時においては、タイマルーチンを一定の時間間隔により実行し、また停止時においては、続いて再生が指示されるまでの間、残像の形式による停止線Ｌ１、ポインタＰの表示を指示するようになされている。
【００６５】
かくするにつき図１２は、ボタンＢ６、Ｂ７１、Ｂ７２の操作により起動される表示ルーチンのうち、停止点表示フラグに係る処理を示すフローチャートである。中央処理ユニット１３は、この表示ルーチンの処理を開始すると、ステップＳＰ６１からステップＳＰ６２に移り、ここで停止点表示フラグがオンに設定されているか否か判断する。ここで肯定結果が得られると、中央処理ユニット１３は、ステップＳＰ６２からステップＳＰ６３に移り、一時停止の位置を示すパラメータＴｓｔｏｐに停止線Ｌ１、ポインタＰを残像の形式により表示した後、ステップＳＰ６４に移り、この処理手順を終了する。これに対してステップＳＰ６２で否定結果が得られると、ステップＳＰ６２からステップＳＰ６４に移ってこの処理手順を終了する。
【００６６】
これに対して図１３は、再生時における停止線Ｌ１、ポインタＰの移動の処理に係る処理手順を示すフローチャートである。中央処理ユニット１３は、図１１について上述した処理手順と同様に、この処理手順においても、ボタンＢ６の操作をトリガにして処理を開始する。この処理手順において中央処理ユニット１３は、ステップＳＰ７１からステップＳＰ７２に移り、それまでの表示よりユーザーによるボタンＢ６の操作がプレビューの指示か否か判断する。ここで肯定結果が得られると、中央処理ユニット１３は、再生位置を示すパラメータＴｃの値により、つまみＢＢ５の右端に対応する位置まで再生したか否か判断する。
【００６７】
ここで肯定結果が得られると、中央処理ユニット１３は、ステップＳＰ７３からステップＳＰ７４に移り、再生位置を示すパラメータＴｃを、トリミング開始時間Ｔｓに設定し、これにより再生位置をつまみＢＢ５の左端に設定した後、ステップＳＰ７５に移る。これに対してステップＳＰ７３で否定結果が得られると、中央処理ユニット１３は、直接、ステップＳＰ７３からステップＳＰ７５に移る。
【００６８】
このステップＳＰ７５において、中央処理ユニット１３は、パラメータＴｃにより指示される再生位置から再生の処理を開始し、続くステップＳＰ７６でタイマルーチンの開始を指示した後、ステップＳＰ７７に移る。ここで中央処理ユニット１３は、この処理手順を終了するか否か判断し、ここで否定結果が得られると、ステップＳＰ７２に戻るのに対し、肯定結果が得られると、ステップＳＰ７７からステップＳＰ７８に移ってこの処理手順を終了する。
【００６９】
これに対してステップＳＰ７２で否定結果が得られると、中央処理ユニット１３は、ステップＳＰ７２からステップＳＰ７９に移り、それまでの表示よりユーザーによるボタンＢ６の操作が一時停止の指示か否か判断し、ここで肯定結果が得られると、ステップＳＰ８０に移り、タイマルーチンの停止を指示する。続いて中央処理ユニット１３は、ステップＳＰ８１に移り、パラメータＴｃにより指示される再生位置にポインタＰ、停止線Ｌ１を再表示した後、ステップＳＰ７７に移る。これに対してステップＳＰ７９で否定結果が得られると、この場合ステップＳＰ７６に直接移る。
【００７０】
これにより中央処理ユニット１３は、再生位置を示すパラメータＴｃに従ってタイマルーチンによりポインタＰ、停止線Ｌ１を移動させ、また停止位置に、停止線Ｌ１、ポインタＰを表示するようになされている。
【００７１】
すなわち図１４は、図１１及び図１３の処理に係るタイマルーチンの処理手順を示すフローチャートである。中央処理ユニット１３は、このタイマルーチンの開始を指示すると、一定の時間間隔（この実施の形態では０．０１秒間隔）によりこの処理手順を実行する。すなわち中央処理ユニット１３は、この処理手順を開始すると、ステップＳＰ９１からステップＳＰ９２に移り、現在の再生位置のパラメータＴｃを取得する。なお中央処理ユニット１３は、ボタンＢ６の操作により再生の処理を開始すると、動画ファイルの再生手順により編集対象ファイルを順次デコードして表示するようになされ、ステップＳＰ９２等においては、このデコードに供するデコーダのソフトより、編集対象ファイルの時間情報を取得し、この時間情報をトリミング開始時間Ｔｓ、トリミング終了時間Ｔｅにより処理してパラメータＴｃを取得するようになされている。
【００７２】
このようにしてパラメータＴｃを取得すると、中央処理ユニット１３は、ステップＳＰ９３に移り、ここでパラメータＴｃをトリミング終了時間Ｔｅにより判定することにより、再生位置がつまみＢＢ５の右端に対応する位置に到達したか否か判断する。ここで肯定結果が得られると、中央処理ユニット１３は、ステップＳＰ９４に移り、タイマを停止し、プレビューを停止する。また改めてパラメータＴｃにトリミング終了時間Ｔｅを判定し、再生位置をつまみＢＢ５の右端に対応する位置に設定する。
【００７３】
続いて中央処理ユニット１３は、ステップＳＰ９５に移り、現在の再生位置にポインタＰ、停止線Ｌ１を表示した後、ステップＳＰ９６に移ってこの処理手順を終了する。
【００７４】
これに対してステップＳＰ９３で否定結果が得られると、ステップＳＰ９３からステップＳＰ９５に移り、現在の再生位置にポインタＰ、停止線Ｌ１を表示した後、ステップＳＰ９６に移ってこの処理手順を終了する。
【００７５】
これにより中央処理ユニット１３は、再生を開始すると、再生位置に応じてポインタＰ、停止線Ｌ１を順次つまみＢＢ５の右側に変位させるようになされ、これによりユーザーにおいて、再生位置を確認できるようになされている。
【００７６】
これらによりこの実施の形態において、中央処理ユニット１３は、グラフィックインターフェース１６、ディスプレイ１７と共に、スライドバー全体に対するつまみの両端の位置により、動画ファイルにおけるイン点、アウト点の位置を表して、動画ファイルにおけるイン点及びアウト点の位置を表示する表示手段を構成するようになされている。また中央処理ユニット１３は、入出力インターフェース１８、マウス２０と共に、つまみのスライド操作により、イン点及びアウト点で連動した位置の変更を受け付ける第１の入力手段と、時間を単位にして、イン点及びアウト点間の長さの入力を受け付ける第２の入力手段とを構成するようになされている。さらに中央処理ユニット１３は、動画ファイルを再生する再生手段を構成するようになされている。
【００７７】
これに対して中央処理ユニット１３は、ＯＫのボタンＢ８が操作されると、このようにして設定されたイン点、アウト点であるトリミング開始時間、トリミング終了時間により、編集対象ファイルより伝送部分を切り出してハードディスク装置１４に一時記録する。これにより中央処理ユニット１３は、伝送に供するファイルをハードディスク装置１４に一時記録して保持する。さらに元のメイン画面（図２）に表示を切り換え、この切り出した部分の先頭部分をサムネイル画像により表示する。
【００７８】
（２）実施の形態の動作
以上の構成において、このファイル転送システム１では（図１）、コンピュータ２において所望するファイルを選択して編集することにより、転送に供するファイルが作成され、このファイルをサーバー４にアップロードすることにより、サーバー４から携帯電話３にＵＲＬが通知され、このＵＲＬによる携帯電話３からのアクセスによりサーバー４からアップロードに係る動画ファイルが携帯電話３に提供される。これによりこのファイル転送システム１では、サーバー４を介してコンピュータ２より携帯電話３に動画ファイルを転送することができる。
【００７９】
このようなファイル転送に係るコンピュータ２においては、ユーザーによりファイル転送プログラムが立ち上げられると、所定のメイン画面が表示され（図２）、このメイン画面における選択によりファイル転送に供する動画ファイルである編集対象ファイルの選択が受け付けられる。またボタンＢ２の操作により、この編集対象ファイルを編集する編集画面（図３）が立ち上げられる。
【００８０】
コンピュータ２においては、この編集画面において、スライドバーＢ５が表示され、このスライドバーＢ５全体に対するつまみＢＢ５の両端の位置により、編集対象ファイルにおけるイン点、アウト点の位置が表される。またこのスライドバーＢ５のつまみＢＢ５をマウス２０等でスライド操作させることにより、つまみＢＢ５のスライドに伴い、イン点、アウト点の位置が連動して変更される。
【００８１】
これに対して伝送部分の長さを秒により表すスピンボックスＢ７において、秒の表示を増大、減少させるボタンＢ７１、Ｂ７２の操作により、時間を単位にして、イン点及びアウト点間の長さの入力が受け付けられる。
【００８２】
これによりこのコンピュータ２においては、スライドバーＢ５におけるつまみＢＢ５の操作と、秒の表示を増大、減少させるボタンＢ７１、Ｂ７２の操作とにより、編集対象ファイルより、伝送部分を切り出すイン点、アウト点を設定することができ、これにより少ない操作子の操作により、簡易にイン点、アウト点を設定することができ、その分、編集処理に不慣れなユーザーでも、簡易に操作することができる。
【００８３】
特に、秒による時間を単位にして伝送部分の長さを入力できることにより、携帯電話３に係るファイル転送システム１のように、伝送するファイル容量が制限されている場合に、この制限に対応するファイル長をスピンボックスＢ７により表示して増減できることにより、この実施の形態においては、操作に不慣れなユーザーにおいても、簡易かつ確実に、所望するファイル長により動画ファイルを転送することができる。
【００８４】
またこのようにして長さを変化させた場合、スライドバーＢ５においては、この長さに対応するようにつまみＢＢ５における右側端部の位置が変化してつまみＢＢ５の長さが変化し、これによりユーザーにおいては、編集対象のファイルのうちの何れの部分を切り出してアップロードするのかを視覚的に把握することができ、これによっても一段と使い勝手を向上することができる。
【００８５】
コンピュータ２においては、このようにしてイン点、アウト点を設定してユーザーによるボタンＢ６の操作によりプレビューが指示されると、イン点、アウト点間を再生し、動画像が領域ＡＲ５に表示される。またこの再生の際に、再生位置を示すポインタＰ、停止線Ｌ１がつまみＢＢ５の上に表示される。これによりユーザーにおいては、ポインタＰ、停止線Ｌ１により再生箇所を確認してプレビューすることができる。
【００８６】
このようにして再生してユーザーにより再びボタンＢ６が操作されると、コンピュータ２においては、再生の処理が停止され、ポインタＰ、停止線Ｌ１においては、停止位置に残像により、続いてプレビューを再開するまで表示される。また停止した箇所の画像が静止画により領域ＡＲ５に表示される。これによりユーザーにおいては、適当にイン点、アウト点を設定してプレビューし、所望する箇所でプレビューを停止して、このポインタＰ、停止線Ｌ１の残像につまみＢＢ５の左端を重ね合わせるようにつまみＢＢ５をスライドさせて、伝送部分を簡易に頭出しすることができる。またその後、スピンボックスＢ７の操作によりアウト点側を変化させて伝送部分の長さを変化させることができる。
【００８７】
このときこの実施の形態においては、残像の形式によりポインタＰ、停止線Ｌ１を表示することにより、ユーザーにおいては、感覚的に、基準となるマークでる旨、把握して操作することができ、これによっても操作に不慣れなユーザーにおいて、一段と簡易かつ確実に、所望する編集処理を実行することができる。
【００８８】
（３）実施の形態の効果
以上の構成によれば、スライドバーのスライド操作と、時間を単位にしたイン点及びアウト点間の長さの入力により、編集点の設定を受け付けることにより、編集処理に不慣れなユーザーでも簡易かつ正確にイン点、アウト点、伝送部分の長さを設定することができ、これによりこのようなユーザーでも簡易かつ確実に操作することができる。
【００８９】
またこのとき再生手段による動画像を表示すると共に、つまみの上に再生手段による再生位置を示すポインタＰ及び停止線Ｌ１によるマークを表示することにより、ユーザーにおいては、感覚的に再生箇所を把握することができ、これによっても編集処理に不慣れなユーザーでも簡易に操作できる。
【００９０】
また少なくとも再生を開始するまでの間、再生を停止した位置にマークを保持して表示することにより、該マークの表示をつまみのスライド操作の基準に設定することができ、これによっても編集処理に不慣れなユーザーでも簡易に操作できる。
【００９１】
かくするにつきこのようにして設定したイン点及びアウト点間を切り出して所定のサーバーにアップロードすることにより、簡易な処理により所望する動画ファイルを処理して携帯電話に転送することができる。
【００９２】
（４）他の実施の形態
なお上述の実施の形態においては、棒状の領域につまみを表示してなるスライドバーを適用する場合について述べたが、本発明はこれに限らず、例えば図１５に示すような形状によるスライドバーを適用する場合等、スライドバーについては種々の形状を広く適用することができる。
【００９３】
また上述の実施の形態においては、本発明をファイル転送システムに適用して、動画ファイルをイン点、アウト点で切り出して伝送する場合について述べたが、本発明はこれに限らず、イン点、アウト点を設定して編集処理する場合に広く適用することができる。
【００９４】
【発明の効果】
上述のように本発明によれば、スライドバーのスライド操作と、時間を単位にしたイン点及びアウト点間の長さの入力により、編集点の設定を受け付けることにより、編集処理に不慣れなユーザーでも簡易かつ確実に操作することができる。
【図面の簡単な説明】
【図１】本発明の実施の形態に係るファイル転送システムを示すブロック図である。
【図２】図１のファイル転送システムにおけるコンピュータのメイン画面を示す平面図である。
【図３】編集画面を示す平面図である。
【図４】初期設定の処理手順を示すフローチャートである。
【図５】編集対象ファイルのファイルの長さが１５秒以下の場合における初期画面を示す平面図である。
【図６】編集対象ファイルのファイルの長さが３秒以下の場合における初期画面を示す平面図である。
【図７】スライドバーの操作の説明に供する平面図である。
【図８】スピンボックスＢ７の操作の説明に供する平面図である。
【図９】スピンボックスＢ７の操作の説明に供するフローチャートである。
【図１０】再生の処理の説明に供する平面図である。
【図１１】再生の処理の説明に供するフローチャートである。
【図１２】表示ルーチンを示すフローチャートである。
【図１３】ポインタの処理の説明に供するフローチャートである。
【図１４】タイマルーチンを示すフローチャートである。
【図１５】他の実施の形態に係るスライドバーを示す平面図である。
【図１６】従来の編集画面を示す平面図である。
【符号の説明】
１……ファイル転送システム、２……コンピュータ、３……携帯電話、４……サーバー、１３……中央処理ユニット
【図１】
2004104468.tif 000003
【図２】
2004104468.tif 000004
【図３】
2004104468.tif 000005
【図４】
2004104468.tif 000006
【図５】
2004104468.tif 000007
【図６】
2004104468.tif 000008
【図７】
2004104468.tif 000009
【図８】
2004104468.tif 000010
【図９】
2004104468.tif 000011
【図１０】
2004104468.tif 000012
【図１１】
2004104468.tif 000013
【図１２】
2004104468.tif 000014
【図１３】
2004104468.tif 000015
【図１４】
2004104468.tif 000016
【図１５】
2004104468.tif 000017
【図１６】
2004104468.tif 000018